(57)【要約】      （修正有）【課題】堤防の法肩に植物が生い茂るのを防止して、道路の維持管理に掛かる費用を抑えるとともに、大型の台風や集中豪雨での大量の雨水によって堤防の法肩が削り取られて崩壊するのを防止する堤防用法肩ブロックを提供する。【解決手段】堤防の法面の最上端に位置する法肩に敷設する堤防用法肩ブロック１０であって、前面１１、後面１２、上面１３、下面、左右の側面１５を有して全体が左右に長い直方体形状であり、上面１３の前側が、堤防の法面の勾配に応じて前方に向かって下がる傾斜面１６であり、上面１３と後面１２が接する角部に、上面１３から段状に窪んで道路の表層を入り込ませる道路表層用段部１７を左右全長にわたって有する。【選択図】図４
0003213674.tif 000002
【実用新案登録請求の範囲】
【請求項１】
堤防の法面の最上端に位置する法肩に敷設する堤防用法肩ブロックであって、
前面、後面、上面、下面、左右の側面を有して全体が左右に長い直方体形状であり、
上面の前側が、堤防の法面の勾配に応じて前方に向かって下がる傾斜面であり、
上面と後面が接する角部に、上面から段状に窪んで道路の表層を入り込ませる道路表層用段部を左右全長にわたって有したことを特徴とする堤防用法肩ブロック。
【請求項２】
請求項１に記載された堤防用法肩ブロックにおいて、
左右の側面の上端に、内側に向かって凹んだ目地溝を有したことを特徴とする堤防用法肩ブロック。
【請求項３】
請求項１又は２に記載された堤防用法肩ブロックにおいて、
左右の寸法を、１．５ｍ以上２．５ｍ以下にし、かつその総重量を５００Ｋｇ以上１０００Ｋｇ以下にしたことを特徴とする堤防用法肩ブロック。
【考案の詳細な説明】
【技術分野】
【０００１】
本考案は、堤防の法面の最上端に位置する法肩に敷設する堤防用法肩ブロックに関する。
【背景技術】
【０００２】
堤防は、川や海などの水の陸地側への浸入を防ぐために河川や海岸などに沿って造られるが、その頂部の天端を人が歩くため又は車が通るための道路として使用できるように、堤防の天端に道路を構築するためのアスファルト舗装などを施しているものがある。
また、堤防には、その法面に芝などを生やすことにより、表面が崩壊するのを防ぐようにしているものもある。
【０００３】
図９は、従来の堤防の天端に道路を構築したときの状態を示す断面図である。
例えば、河川に沿って造られる堤防１において、その天端４への道路の構築は、図９に示すように、天端４の河川側と陸地側の両側それぞれの法肩３より内側に入った位置に、均しモルタル４１及びその上に舗装止めブロック４２を設置し、次に、天端４の両側に設置した均しモルタル４１及び舗装止めブロック４２の間に、アスファルト舗装を施すようにしている。アスファルト舗装は、天端４において、支持基礎である路盤４３を築き、路盤４３の上に表面が路面になる表層４４を築いて、その上端を、天端４の両側に設置した舗装止めブロック４２の上端と同じ高さにするように行う。
【０００４】
ところで、堤防１においては、芝や草などの植物が盛んに生い茂る。とくに、堤防１の天端４では、ここに構築した道路の横幅方向外側の法肩３にも植物が生い茂り、これにより、道路を使用する際に支障をきたす虞がある。そのため、生い茂った植物を取り除く作業を頻繁に行う必要があり、道路の維持管理に掛かる費用が嵩んでしまうという問題がある。
【０００５】
また、地球温暖化に起因すると言われている気候の変動により、大型の台風や集中豪雨が発生し易くなっており、これらが発生すると、大量の雨水によって堤防１の法面２の最上端、つまり法面２と天端４が接する角部に位置する法肩３を削り取り、崩壊させてしまう虞がある。
【０００６】
また、大型の台風や集中豪雨では、想定以上の雨量によって河川に大量の水が流れて水位が上昇し、水が堤防１の上を超えて越流水となって陸地側に浸入する越流現象が起こる虞がある。越流水は、堤防１の上を流れるとき、その水圧が、堤防１の法肩３に大きな力となって作用する。そのため、堤防１の法肩３が越流水の水圧に耐え切れないと、ここが削り取られて崩壊が起こり、短期間のうちに堤防１の決壊という重大な問題が発生する虞がある。
【考案の概要】
【考案が解決しようとする課題】
【０００７】
本考案は、このような問題を解決するためになされたものであり、その目的は、堤防の法肩に植物が生い茂るのを防止し、植物の取り除き作業を大幅に低減して、道路の維持管理に掛かる費用を抑える。これとともに、大型の台風や集中豪雨での大量の雨水によって堤防の法肩が削り取られて崩壊するのを防止することである。また、越流現象が起こっても、越流水の水圧により堤防の法肩が削り取られて崩壊するのを低減あるいは崩壊の進行を遅らせて堤防が決壊するまでの時間を引き延ばすことである。
【課題を解決するための手段】
【０００８】
本考案は、堤防の法面の最上端に位置する法肩に敷設する堤防用法肩ブロックであって、前面、後面、上面、下面、左右の側面を有して全体が左右に長い直方体形状であり、上面の前側が、堤防の法面の勾配に応じて前方に向かって下がる傾斜面であり、上面と後面が接する角部に、上面から段状に窪んで道路の表層を入り込ませる道路表層用段部を左右全長にわたって有した堤防用法肩ブロックである。
【考案の効果】
【０００９】
本考案によれば、堤防の法肩に堤防用法肩ブロックを敷設することで、芝や草などの植物が生い茂るのを防止できる。とくに、堤防用法肩ブロックの道路表層用段部にアスファルト舗装の表層が入り込むことで、堤防用法肩ブロックとアスファルト舗装との継ぎ目部分を確実に塞いで、植物が生えるのを防止でき、これにより、植物の取り除き作業を大幅に低減でき、道路の維持管理に掛かる費用を抑えることができる。
【００１０】
また、堤防の法肩に堤防用法肩ブロックを敷設することで、法肩を堅固にすることができ、これにより、大型の台風や集中豪雨での大量の雨水によって堤防の法肩が削り取られて崩壊するのを防止することができる。また、越流現象が起こっても、越流水の水圧により堤防の法肩が削り取られて崩壊するのを低減あるいは崩壊の進行を遅らせて堤防が決壊するまでの時間を引き延ばすことができる。
【図面の簡単な説明】
【００１１】
【図１】本考案の堤防用法肩ブロックを敷設した状態を示す断面図である。
【図２】本考案の堤防用法肩ブロックを敷設した状態を示す斜視図である。
【図３】本考案の堤防用法肩ブロックを示す説明図である。
【図４】本考案の堤防用法肩ブロックを示す説明図である。
【図５】図４のＡ部の目地溝を説明する断面図である。
【図６】堤防用法肩ブロックの敷設などの施工手順を示す説明図である。
【図７】堤防用法肩ブロックの敷設などの施工手順を示す説明図である。
【図８】堤防用法肩ブロックの道路表層用段部での状態を示す説明図である。
【図９】従来の堤防の天端に道路を構築したときの状態を示す断面図である。
【考案を実施するための形態】
【００１２】
本考案の堤防用法肩ブロックの一実施形態について、図面を参照して説明する。
図１は、本実施形態の堤防用法肩ブロックを敷設した状態を示す断面図、図２は、本実施形態の堤防用法肩ブロックを敷設した状態を示す斜視図であり、図３は、本実施形態の堤防用法肩ブロックを示す説明図で、図３Ａは、堤防用法肩ブロックの上面図、図３Ｂは、堤防用法肩ブロックの側面図、図４は、本実施形態の堤防用法肩ブロックを示す説明図で、図４Ａは、堤防用法肩ブロックを前側から見た斜視図、図４Ｂは、堤防用法肩ブロックを後側から見た斜視図である。
【００１３】
本実施形態の堤防用法肩ブロック１０は、専用のコンクリート用型枠内にコンクリートを流し込み、コンクリートの固化後にコンクリート用型枠より脱型して作られるコンクリートブロックである。
【００１４】
堤防用法肩ブロック１０は、図１、２に示すように、例えば河川に沿って造られる堤防１の河川側と陸地側の両方の法面２の最上端、つまり法面２と天端４が接する角部に位置する法肩３に敷設される。
なお、堤防用法肩ブロック１０を敷設する堤防１は、海岸などに造られる堤防であってもよい。
【００１５】
堤防用法肩ブロック１０は、堤防１の法肩３において、堤防１の長手方向に向かう基礎材を敷き詰めて造った基礎部２０の上に、基礎部２０と同じように堤防１の長手方向に沿って複数並べて敷設される。したがって、堤防１の法肩３には、複数の堤防用法肩ブロック１０が堤防１の長手方向に沿って長く連続した状態で敷設される。
ここで、堤防１の長手方向とは、堤防１が河川に沿って延びる方向のことであって、図１では図面の奥側から手前側に向かう方向であり、図２では図中に示した河川の水が流れる方向である。
【００１６】
堤防用法肩ブロック１０は、図３、４に示すように、これらの図面において左右に長い長方形状の前面１１、後面１２、上面１３、下面１４を有するとともに、左右の側面１５を有して、全体が左右（図３Ａにおける左右）に長い直方体形状である。
堤防用法肩ブロック１０は、堤防１の法肩３に敷設したとき、その左右が堤防１の長手方向に沿う、つまり平行になるようにする。
なお、本考案において、堤防用法肩ブロック１０の前面１１、後面１２、上面１３、下面１４、及び左右は、それぞれ堤防用法肩ブロック１０を堤防１の法肩３に配置したとき法面２に面する側、天端４に面する側、上側、下側、及び堤防１の長手方向をいう。
【００１７】
堤防用法肩ブロック１０の大きさは、例えば左右の寸法を２ｍ、前後の寸法を１ｍにし、上下の寸法を２５ｃｍにする。また、堤防用法肩ブロック１０の総重量を９００〜９５０Ｋｇにする。ただし、堤防用法肩ブロック１０の大きさや総重量は、これに限定されるものではない。
【００１８】
また、堤防用法肩ブロック１０の上下の寸法を２５ｃｍにするとともに、その下側の基礎部２０の上下の寸法を１５ｃｍにすることによって、一般的なアスファルト舗装による道路の舗装高さ（上下の寸法）の４０ｃｍと同じにする。これにより、堤防１の法肩３及び天端４において、法肩３に堤防用法肩ブロック１０を敷設し、その間の天端４上に道路を構築するためのアスファルト舗装を施すとき、その作業の基準面を河川側から陸側に向かって一直線の平らな面（つまり、面一）にすることができる。そのため、堤防用法肩ブロック１０の敷設やアスファルト舗装の作業を簡単にかつ精度高く行うことができる。
【００１９】
堤防用法肩ブロック１０には、上面１３の前後の中央から前側を、堤防１の法面２の勾配に応じて前方に向かって下がる傾斜面１６が堤防用法肩ブロック１０の左右全長にわたって設けられている。つまり、上面１３の前側と前面１１の上側とを斜めにカットした形状になっている。また、前面１１は、傾斜面１６によりカットされることから、その下端から堤防用法肩ブロック１０の上下１／３程度までの高さに形成されている。
なお、傾斜面１６は、堤防１の法面２の勾配に対応するようにしているが、傾斜面１６の角度は、法面２の勾配と同じにしても、あるいは法面２の勾配に対して少し異ならせてもよい。
【００２０】
堤防用法肩ブロック１０は、上面１３の後側で上面１３と後面１２が接する角部に、上面１３から段状に窪んだ道路表層用段部１７を、左右全長にわたって有する。道路表層用段部１７の窪みの上面１３からの深さは、道路を構築するときの道路の表層３３と同じ５ｃｍ程度である。これにより、後述するように、道路を構築するときは、道路表層用段部１７に道路の表層３３が入り込むようにアスファルト舗装を施すことができる。
なお、道路表層用段部１７は、５ｃｍに限定されるものではなく、道路の表層３３を入り込ませることができるのであれば、他の寸法でもよい。
【００２１】
図５は、図４のＡ部の目地溝を説明する断面図で、図５Ａは、目地溝の断面図、図５Ｂは、隣接する堤防用法肩ブロック間における目地溝の状態を示す断面図である。
堤防用法肩ブロック１０は、左右それぞれの側面１５の上端に、目地溝１８を有する。目地溝１８は、側面１５の前端から後端の道路表層用段部１７を有した箇所まで設ける。目地溝１８は、図５Ａに示すように、側面１５から内側に向かって凹んだ形状である。また、堤防用法肩ブロック１０を堤防１の長手方向に向かって複数並べて敷設したとき、隣接する堤防用法肩ブロック１０の互いの目地溝１８は、図５Ｂに示すように、上方に開放した間隙が形成されるため、その間隙から目地材２１を注入して目地溝１８内に充填することができる。
【００２２】
次に、堤防１において、道路を構築するときの法肩３への堤防用法肩ブロック１０の敷設及び天端４上へのアスファルト舗装の手順について説明する。
図６、図７は、堤防用法肩ブロックの敷設などの施工手順を示す説明図、図８は、堤防用法肩ブロックの道路表層用段部での状態を示す説明図である。
【００２３】
図６Ａに示すように、堤防１の天端４において、河川側から陸側に向かって一直線の平らな面にする。この一直線の平らな面が作業の基準面である。このとき、天端４の平らな面（基準面）は、河川側から陸側に向かって１．５％の勾配を付け、陸側より河川側を低くする。
次に、図６Ｂに示すように、天端４の河川側と陸側の両側の端に位置する法肩３に、堤防１の長手方向に向かって基礎部２０をそれぞれ造る。基礎部２０は、基礎材を敷き詰めて造ったもので、その上下寸法は、前述の通りの１５ｃｍである。
次に、図６Ｃに示すように、河川側と陸側の両側それぞれの法肩３に造った基礎部２０の上に、堤防１の長手方向に向かって複数の堤防用法肩ブロック１０を並べて敷設する。
次に、隣接する堤防用法肩ブロック１０の目地溝１８内に目地材２１を注入して充填する。これによって、複数並べて敷設した堤防用法肩ブロック１０間を塞ぐ。
【００２４】
次に、基礎部２０及び堤防用法肩ブロック１０の外側の法面を整備したのち、堤防１の河川側と陸側の基礎部２０及び堤防用法肩ブロック１０の間の天端４上に道路を構築するためのアスファルト舗装を施す。
アスファルト舗装は、図７Ｄに示すように、一番下側に支持基礎である路盤３１を築き、この路盤３１の上下の寸法は２０ｃｍである。
次に、図７Ｅに示すように、路盤３１の上に基層３２を築き、この基層３２の上下の寸法は１５ｃｍである。
次に、図７Ｆに示すように、基層３２の上にその表面が路面になる表層３３を築き、この表層３３の上下の寸法は５ｃｍである。
したがって、路盤３１と基層３２と表層３３からなるアスファルト舗装による道路の舗装高さ（上下の寸法）は、基礎部２０と堤防用法肩ブロック１０の上下の寸法と同じ４０ｃｍであり、アスファルト舗装の表層３３の表面と堤防用法肩ブロック１０の上端とを同じ高さ（面一）にする。
【００２５】
このとき、図８に示すように、路面になる表層３３は、堤防用法肩ブロック１０の道路表層用段部１７（の窪み）に覆いかぶさるようにして入り込み、これにより、堤防用法肩ブロック１０の後側の一部が表層３３の下に埋没する。
【００２６】
以上説明したように、本実施形態の堤防用法肩ブロックによれば、堤防１の法肩３に堤防用法肩ブロック１０を敷設することで、ここに芝や草などの植物が生い茂るのを防止できる。また、堤防用法肩ブロック１０の道路表層用段部１７にアスファルト舗装の表層３３が入り込むことで、堤防用法肩ブロック１０とアスファルト舗装との継ぎ目部分を確実に塞ぐため、植物が生えるのを防止できる。これにより、植物の取り除き作業を大幅に低減でき、道路の維持管理に掛かる費用を抑えることができる。
【００２７】
また、堤防１の法肩３に敷設する堤防用法肩ブロック１０によって、法肩３を堅固にすることができる。これにより、大型の台風や集中豪雨での大量の雨水によって堤防１の法肩３が削り取られて崩壊するのを防止することができる。また、越流現象が起こっても、越流水の水圧により堤防１の法肩３が削り取られて崩壊するのを低減あるいは崩壊の進行を遅らせて堤防１が決壊するまでの時間を引き延ばすことができる。
【００２８】
また、本実施形態においては、堤防用法肩ブロック１０は、その大きさや総重量について、左右の寸法を２ｍにし、その総重量を９００〜９５０Ｋｇにしているが、本考案はこれに限定されるものではなく、左右の寸法を、１．５ｍ以上２．５ｍ以下にし、また、総重量を、５００Ｋｇ以上１０００Ｋｇ以下にすればよい。
【００２９】
即ち、堤防用法肩ブロック１０の左右の寸法が１．５ｍよりも小さいと、堤防１の法肩３への堤防用法肩ブロック１０の敷設作業において、堤防用法肩ブロック１０が小さい分だけ複数の堤防用法肩ブロック１０を頻繁に敷設しなければならず、作業に手間がかかる。一方、堤防用法肩ブロック１０の左右の寸法が２．５ｍよりも大きいと、堤防１の法肩３への堤防用法肩ブロック１０の敷設作業において、堤防用法肩ブロック１０が一つ一つ大きい分だけ作業が難しくなる。したがって、堤防用法肩ブロック１０の左右の寸法は、１．５ｍ以上２．５ｍ以下にするのがよい。これにより、堤防用法肩ブロック１０の敷設作業を効率よく行える。
【００３０】
また、堤防用法肩ブロック１０の総重量が１０００Ｋｇより大きいと、堤防用法肩ブロック１０の敷設作業において、クレーン付きバックホウなどの小型の建設機械で堤防用法肩ブロック１０を吊り上げて敷設する作業を行うことができず、大型の建設機械を使用して作業を行うため、作業性が悪い。一方、堤防用法肩ブロック１０の総重量が５００Ｋｇより小さいと、大型の台風や集中豪雨での大量の雨水によって、あるいは越流現象が起こったときの越流水の水圧によって、堤防用法肩ブロック１０が耐え切れなくなって、早期に崩れ落ちてしまう虞がある。したがって、堤防用法肩ブロック１０の総重量は、５００Ｋｇ以上１０００Ｋｇ以下にするのがよい。
【００３１】
また、本実施形態では、堤防１の天端４に道路を構築するときに、アスファルト舗装を施すものとして説明したが、このアスファルト舗装の代わりに、コンクリート舗装を施すようにしてもよい。
【符号の説明】
【００３２】
１…堤防、２…法面、３…法肩、４…天端、１０…堤防用法肩ブロック、１１…前面、１２…後面、１３…上面、１４…下面、１５…側面、１６…傾斜面、１７…道路表層用段部、１８…目地溝、２０…基礎部、２１…目地材、３１…路盤、３２…基層、３３…表層、４１…均しモルタル、４２…舗装止めブロック、４３…路盤、４４…表層。
【図１】
0003213674.tif 000003
【図２】
0003213674.tif 000004
【図３】
0003213674.tif 000005
【図４】
0003213674.tif 000006
【図５】
0003213674.tif 000007
【図６】
0003213674.tif 000008
【図７】
0003213674.tif 000009
【図８】
0003213674.tif 000010
【図９】
0003213674.tif 000011